(57)【要約】【課題】  歯を切削することもなく、歯並びの悪い歯に人工歯を付けることで、簡単かつ短時間で歯列を変形させ、口腔の周囲筋肉を人工歯で押し上げることにより人の口元の表情を変化させる。【解決手段】  不正歯列の部位における歯Ｔに貼着歯１を貼り付けることにより、人の口元の表情を可変させる貼着歯を用いた口元表情の可変方法であって、先ず、印象材を用いて、不正歯列について型どりし（Ｓ１）、この型どりした印象材を基にして、特定部位の歯Ｔに貼り付けて適正な歯列が形成され、口腔の口筋を例えば上外方へ押し上げるように所定の厚みを有する貼着歯１を作成し（Ｓ５）、この作成した貼着歯１を、不正歯列の原因になる歯Ｔにセメントで貼着する。【選択図】  図１
2006345884.tif 000002
【特許請求の範囲】
【請求項１】
人の口元の表情を担当する口筋の大部分を占める上下顎骨体前面における口元の筋肉を、口腔内から押圧して、その口元の表情を可変させるために、不正歯列の歯（Ｔ）に貼り付ける貼着歯（１）であって、
人の歯と同様な色彩を有する貼着歯表面部（３）と、
前記口筋を押圧して適正な歯列が形成される程度の肉厚を有する貼着歯本体（２）と、
前記貼着歯本体（２）の裏面に、各歯（Ｔ）の表面形状に係合するように倣い面を形成した貼着面（４）と、
を備えた、ことを特徴とする貼着歯。
【請求項２】
前記貼着歯（１）の貼着面（４）に、セメントの貼着力を向上させる細かい凹凸を形成した、ことを特徴とする請求項１の貼着歯。
【請求項３】
前記貼着歯（１）の貼着歯表面部（３）に図柄を形成した、ことを特徴とする請求項１の貼着歯。
【請求項４】
前記貼着歯（１）はプラスチック製である、ことを特徴とする請求項１又は２の貼着歯。
【請求項５】
前記貼着歯（１）はセラミック製である、ことを特徴とする請求項１又は２の貼着歯。
【請求項６】
不正歯列における歯（Ｔ）に貼着歯（１）を貼り付けることにより、人の口元の表情を可変させる貼着歯を用いた口元表情の可変方法であって、
先ず、印象材を用いて、不正歯列について型どりし（Ｓ１）、
この型どりした印象材を基にして、特定部位の歯（Ｔ）に貼り付けて適正な歯列が形成され、口筋を口腔内から押圧し得る所定の厚みを有する貼着歯（１）を作成し（Ｓ５）、
この作成した貼着歯（１）を、前記不正歯列の原因になる歯（Ｔ）にセメントで貼着する（Ｓ６）、ことを特徴とする貼着歯を用いた口元表情の可変方法。
【請求項７】
前記貼着歯（１）は、前記口筋における大頬骨筋及び口角挙筋を押圧するように、歯列の特定部位における歯（Ｔ）に貼り付ける、ことを特徴とする請求項６の歯列矯正による口元表情の可変方法。
【請求項８】
上顎・下顎の歯列全体における各歯（Ｔ）に、肉厚の相違する貼着歯（１）をそれぞれに貼り付ける、ことを特徴とする請求項６の歯列矯正による口元表情の可変方法。
【請求項９】
上顎・下顎の臼歯には、前記大頬骨筋及び口角挙筋を上外方・下外方へ押圧するように、前歯用の貼着歯（１）より肉厚の貼着歯（１）を貼り付ける、ことを特徴とする請求項７の歯列矯正による口元表情の可変方法。
【請求項１０】
前記貼着歯（１）を作成する際に、顔面等高線を用いて貼着歯（１）の適正な厚みや形状を測定しながら作成する（Ｓ３）、ことを特徴とする請求項６、７、８又は９の歯列矯正による口元表情の可変方法。
【発明の詳細な説明】
【技術分野】
【０００１】
本発明は、人の歯に人口の歯を貼り付けることにより、その人の口元の表情を変化させることができる貼着歯及びこれを用いた口元表情の可変方法に関するものである。
【背景技術】
【０００２】
人の歯並びと歯の形状や色は、その人の顔の表情に大きく影響するものである。人の口元から醸し出される美しい笑みは、周囲の人に対してさわやかで、清潔で、明るそうなイメージを与える。そこで、不正歯列いわゆる歯並びの悪い人は、子供の頃に歯科矯正、歯のクリーニングやホワイトニング等をすることが多い。
【０００３】
逆に、歯並びや歯の色が悪い人は、口元にコンプレックスを感じることが多い。特に女性は強くコンプレックスを感じるものであった。このような顔の表情に大きく影響を与える人の不正歯列の状態について様々なものがある。例えば、「乱ぐい歯」、「上顎前突歯」、「反対咬合」、「開咬」、「過蓋咬合」及び「切端咬合」等がある。
【０００４】
ここで、「乱ぐい歯」は、いわゆる「八重歯、叢生」と称され、上顎も下顎も歯がきれいにアーチ状に並んでいないでガタガタした歯並びの状態である。「上顎前突歯」は、いわゆる「出っ歯」と称され、上の歯が前に出ている咬み合わせで、歯が出ていると、折れたり唇をきったりしやすい歯並びの状態である。「反対咬合」は、いわゆる「受け口」と称され、下の歯が上の歯より前に出ている咬み合わせの状態である。「開咬」は、いわゆる「オープンバイト」と称され、噛んでいるのに前歯が閉じないもので、上の前歯と下の前歯が咬み合わず隙間が開いている状態である。「過蓋咬合」は、前歯の咬み合わせが深く下の前歯が見えない状態である。 「切端咬合」は、上下の前歯が重ならず切端と切端がぶつかる咬み方になる状態である。このような歯並びを修整する場合は、従来から矯正または補綴矯正をしていた。
【発明の開示】
【発明が解決しようとする課題】
【０００５】
例えば、この歯列矯正は、ワイヤーとブラケットからなる器具を用いた治療方法であり、歯を動かす力加減や角度、動かす速さ等について、非常に繊細な部分で大きな違いが生じやすい矯正方法である。このワイヤーによる歯列矯正の場合、３〜４年位の長期の治療期間を要するという問題を有していた。最近では、ワイヤーを目立たなくするために歯列の裏側に装着する方法が提案されている。しかし、この歯列の裏側矯正は、更に複雑な技術が求められるものであった。
【０００６】
そこで、本発明の発明者は、不正歯列の凹凸の程度も大小があり、極端に歯並びが悪いときは、このようなワイヤーによる歯列矯正が必要になる。しかし、口元の表情に影響は出ているが、歯並びの凹凸が極端なものではないときは、必ずしもワイヤーによる矯正は必要にないことに着目した。
【０００７】
一方、本発明の発明者は、人の不正歯列は、口元を形成する筋肉群と、その顔の表情に大きく影響することに着目した。例えば、図１７と図１８に示すように、口元の表情を担当する口筋の大部分は、上下顎骨体前面よりおこり、口角の直ぐ外方にある結節に向かって集まり、これを通って可動性の口唇に拡がり、口筋の構成に関与している。そこで、これらの筋肉は、本来の筋肉の緊張に左右されるが、歯槽部、歯列によりある程度支持され、その位置と形状を保持している。即ち、人の口元の表情は、この歯槽部、歯列により形成されている。
【０００８】
このような構成で形成された口元の表情について、例えば歯牙が喪失し、歯槽部の吸収が起こると、口唇は後退し、鼻唇溝は深くなり、口元の表情が変化する。同様に、歯並びが悪いと口筋にも変化を及ぼし、顔面の美的バランスが崩れる。更には、上下の咬合関係も不安定になり、上下口唇の接触範囲が広くなり口元の表情に大きな変化が生じる。
【０００９】
咬み合せが悪い人については、それを調整又は改善、回復を図る技術は提案されている。例えば特許文献１の特開平１１−２０６７８６号公報「咬み合せ調整器」のように、夫々人の奥歯の間に介在できるように全体を希望する厚さの細長い板状に形成し、且つ、少くともその外側縁に頬板を断面略Ｔ字状に連設した左右の噛み板を、各々弾性を備えた合成樹脂材料を用いて一体成形すると共に、これ等２枚の噛み板を左右に間隔をあけて並べた状態にして、その先端部の間を屈曲可能な連結線を用いて一体に連結して構成した噛み合せ調整器が提案されている。
【特許文献１】特開平１１−２０６７８６号
【００１０】
この特許文献１の「咬み合せ調整器」は、口腔の周囲筋肉は左右対称的に骨格に付着しているため、口腔内の容積が小さくなって筋肉の動きのバランスに歪みが生じると、左右の目の大きさや形が違ったり、口唇の厚さや形が違ったり、更には、手足の長さが違ったりする顔貌及び全身的な変化が発生し、これが原因で生活習慣の動きと共に頭痛、肩こり、腰痛、膝痛、或は、歩行困難と云った各種の症状を改善できるという効果があった。
この特許文献１の「咬み合せ調整器」では、咀嚼を改善するときには大きな効果はあるが、本発明が課題にしている口元の表情を変えるものではなかった。
【００１１】
本発明は、かかる問題点を解決するために創案されたものである。すなわち、本発明の目的は、歯を切削することもなく、歯並びの悪い歯に人口歯を付けることで、簡単かつ短時間で歯列を変形させ、口腔の周囲筋肉を人工歯で押圧することにより人の口元の表情を変化させることができる貼着歯及びこれを用いた口元表情の可変方法を提供することにある。という
【課題を解決するための手段】
【００１２】
本発明の貼着歯によれば、人の口元の表情を担当する口筋の大部分を占める上下顎骨体前面における口元の筋肉を、口腔内から押圧して、その口元の表情を可変させるために、不正歯列の歯（Ｔ）に貼り付ける貼着歯（１）であって、人の歯と同様な色彩を有する貼着歯表面部（３）と、前記口筋を押圧して適正な歯列が形成される程度の肉厚を有する貼着歯本体（２）と、前記貼着歯本体（２）の裏面に、各歯（Ｔ）の表面形状に係合するように倣い面を形成した貼着面（４）と、を備えた、ことを特徴とする貼着歯が提供される。
前記貼着歯（１）の貼着面（４）に、セメントの貼着力を向上させる細かい凹凸を形成することが好ましい。
前記貼着歯（１）の貼着歯表面部（３）に図柄を形成することができる。
前記貼着歯（１）はプラスチック製又はセラミック製である。
【００１３】
本発明の口元表情の可変方法によれば、不正歯列における歯（Ｔ）に貼着歯（１）を貼り付けることにより、人の口元の表情を可変させる貼着歯を用いた口元表情の可変方法であって、先ず、印象材を用いて、不正歯列について型どりし（Ｓ１）、この型どりした印象材を基にして、特定部位の歯（Ｔ）に貼り付けて適正な歯列が形成され、口筋を口腔内から押圧し得る所定の厚みを有する貼着歯（１）を作成し（Ｓ５）、この作成した貼着歯（１）を、前記不正歯列の原因になる歯（Ｔ）にセメントで貼着する（Ｓ６）、ことを特徴とする貼着歯を用いた口元表情の可変方法が提供される。
【００１４】
前記貼着歯（１）は、前記口筋における大頬骨筋及び口角挙筋を押圧するように、歯列の特定部位における歯（Ｔ）に貼り付ける。
上顎・下顎の歯列全体における各歯（Ｔ）に、肉厚の相違する貼着歯（１）をそれぞれに貼り付ける。
上顎・下顎の臼歯には、前記大頬骨筋及び口角挙筋を上外方・下外方へ押圧するように、前歯用の貼着歯（１）より肉厚の貼着歯（１）を貼り付ける。
前記貼着歯（１）を作成する際に、顔面等高線を用いて貼着歯（１）の適正な厚みや形状を測定しながら作成する（Ｓ３）ことができる。
【発明の効果】
【００１５】
本発明では、貼着歯（１）を不正歯列の凹んだ歯（Ｔ）に貼り付け、口筋の大部分を占める上下顎骨体前面における口筋を口腔内から上外方又は下外方へ押圧することにより、その人の口元の表情を変化させることができる。即ち、歯列の凹んだ特定部位の歯（Ｔ）が原因していた、口筋に変化を及ぼし、顔面の美的バランスが崩れているのを改善することができる。更に、上下の咬合関係を安定にすると共に、上下口唇の接触範囲を広くすることなく口元の表情を改善することができる。
特に、本発明では、歯を切削することがないので、簡単かつ短時間で歯並びを修正し、人の口元の表情を変化させることができる。
【００１６】
本発明の方法では、ワイヤーとブラケットを使用しない方法であるので、２〜３年という長期間を要することがなく、また貼着歯（１）を貼り変えることで、様々な口元の表情を醸成することも可能である。
更に、歯列の前面に貼り付けるものであるために、歯の向きと形状を変化させるだけでなく、くすんだ歯を白い歯に仕上げることができる。
【発明を実施するための最良の形態】
【００１７】
本発明は、不正歯列の凹んだ部位における歯に貼着歯を貼り付け、この貼着歯で口腔の口筋を口腔内から押圧することにより、この口筋の緊張を緩和して、人の口元の表情を可変させる貼着歯及び可変方法である。
【実施例１】
【００１８】
以下、本発明の好ましい実施の形態を図面を参照して説明する。
図１は本発明の実施例１の貼着歯を用いた口元表情の可変方法を示すフロー図である。図２は上顎歯列の型どりを示すものであり、下方から見た状態図である。図３は上下顎歯列の型どりを上下合せた状態のものを前方から見た状態図である。
本発明の貼着歯を用いた口元表情の可変方法は、先ず、図２及び図３に示すように、不正歯列について印象材を用いて型どりする（Ｓ１）。この人の歯列は、図３の上下顎歯列の型どりに明白なように、両奥歯（小臼歯、大臼歯）が内側に少量凹んでいる。この凹みが口元の表情に大きな影響を及ぼす。
【００１９】
図４は上顎歯列の型どりに貼着歯を嵌めた状態のものを下方から見た状態図である。図５の上下顎歯列の型どりに、上顎歯列に貼着歯を嵌めた状態を上下合せた状態を前方から見た状態図である。
次に、この印象材を型どりしたものを基にして、不正歯列を測定し（Ｓ２）、特定部位の歯Ｔに貼り付けるための貼着歯１を作成する（Ｓ５）。この貼着歯１については、口腔の口筋を口腔内から押圧するように所定の形状・厚みを測定し（Ｓ４）、それを補填するような形状に作成する（Ｓ５）。即ち、不正歯列の凹んだ歯Ｔに貼り付けることにより、適正な歯列が形成されような形状・厚みを有するものである。貼着歯１の肉厚としては、０．５〜３ｍｍの範囲が多かった。
【００２０】
図６は本発明の貼着歯の一例を示す拡大断面図であり、（ａ）は前歯用の貼着歯、（ｂ）は臼歯用の貼着歯ある。
本発明の貼着歯１は、貼着歯本体２の表面に貼着歯表面部３を、その裏面に貼着面４とを備えたプラスチック又はセラミック等の素材で作成したものである。貼着歯本体２は人の不正歯列の凹んだ歯Ｔに、口筋を口腔内から押圧すると共に、適正な歯列が形成される程度の肉厚を有する部分である。この貼着歯本体２の表面側に他の歯Ｔと同様な色彩を有する貼着歯表面部３を形成した。また、貼着歯本体２の裏面に、凹んだ歯Ｔの表面形状に係合するように倣い面を形成した貼着面４を形成した。
このように臼歯用の貼着歯１は、口筋を口腔内から押し上げることが主な機能であり、前歯用の貼着歯１は、外光を反射させて歯列、即ち口元に明るさを付与することが主な機能である。
【００２１】
図７は本発明の貼着歯の作成例を示すものであり、（ａ）は少し凹んだ状態の歯に貼着歯を貼着する状態の拡大断面図、（ｂ）は大きく凹んだ状態の歯に貼着歯を貼着する状態の拡大断面図である。
本発明の貼着歯１の厚みは、これを貼着する歯Ｔの状態に応じてその寸法が決定される。この貼着歯１を不正歯列の凹んだ歯Ｔに貼り付けたときに、口筋の大部分を占める上下顎骨体前面における口筋を口腔内から押圧する程度に突出量を有するように形成する。例えば、図７（ａ）に示すように、歯Ｔが少量凹んだ状態のときは、貼着歯本体２は薄く形成したもので充分である。逆に、図７（ｂ）に示すように、歯Ｔが大きく凹んだ状態ときは、貼着歯本体２は厚く、かつ先端（下端）又は後端（上端）方向に徐々に肉厚なるように形成する。
【００２２】
本発明の貼着歯１は、単に不正歯列を適正化するだけではなく、貼着歯１を凹んだ歯Ｔに貼り付けることにより、人の口元の表情を可変させることを目的としている。そこで、この貼着歯１の形状と厚みは重要な意義を有する。図４又は図５に示した型どりに貼着歯１を嵌めた状態から、その人の口元の表情を想定しながら、形状を特定する。例えば、顔面等高線を用いて貼着歯１の適正な厚みや形状を測定しながら貼着歯１は作成することができる（Ｓ３）。例えば、上顎・下顎の臼歯には、大頬骨筋及び口角挙筋を上外方・下外方へ押圧するように、前歯用の貼着歯１より肉厚の貼着歯１を貼り付ける。
【００２３】
このように作成した貼着歯１は、不正歯列の原因になる歯Ｔにセメントで貼着する。例えば、貼着歯１は、口筋における口角挙筋を押圧するように、歯列の凹んだ特定部位における歯Ｔに貼り付ける。これにより、本発明では、歯を切削することもなく、不正歯列の凹んだ特定歯Ｔに貼着歯１を付けることで、簡単かつ短時間で歯列を変形させ、人の口元の表情を変化させることができる。本発明では、ワイヤーとブラケットを使用しない方法であるので、２〜３年という長期間を要することがなく、貼着歯１を貼り変えることで、別の口元の表情を醸成することも可能である。
【００２４】
本発明の貼着歯１は、口筋における大頬骨筋及び口角挙筋を押圧するように、上顎又は下顎の歯列の特定部位における歯Ｔに貼り付ける。あるいは、その歯列全体における各歯Ｔに、肉厚の相違する貼着歯１をそれぞれに貼り付ける。このように、歯列全体に貼り付けたときは、歯の向きと形状を変化させるだけでなく、くすんだ歯を白い歯に仕上げることができる。また、貼着歯１の貼着面４に、セメントの貼着力を向上させる細かい凹凸面を形成することで、剥離しづらくなり、安定した装着を可能にする。
【００２５】
なお、貼着歯１の貼着歯表面部３に図柄を形成することができる。例えば、貼着歯表面部３に所定の図柄を描出した貼着歯１、又は図柄を描出したシート状のものを貼り付けた貼着歯１を、前歯の一本又は数本に貼り付けることも可能である。
【００２６】
本発明では、このように貼着歯１を不正歯列の凹んだ歯Ｔに貼り付け、口筋の大部分を占める上下顎骨体前面における口元の筋肉を、上顎のときは上外方へ押し上げるように押圧し、下顎のときは下外方へ押圧することにより、その人の口元の表情を変化させることができる。即ち、不正歯列の凹んだ歯Ｔが原因していた口筋に変化を及ぼし、顔面の美的バランスが崩れているのを改善することができる。上下の咬合関係に関与することなく口元の表情を改善することができる。
【００２７】
図８は型どりに部分的に本発明の貼着歯を貼着した状態図である。図９は図８で示した型どりに貼着した貼着歯を示す状態図である。
本発明の貼着歯１は歯列の凹んだ歯Ｔのみに貼着する。例えば図８に示すように犬歯、第一小臼歯及び第二小臼歯に部分的に貼着する。この犬歯と第一小臼歯は、図１８の筋束の方向を示す説明図に示すように、口筋に大きく影響する部分である。
逆に、厚い貼着歯１を凹んだ歯Ｔと共に、凹んでいない歯Ｔにも薄い貼着歯１を貼着して、前面のくすんだ歯Ｔ全体にこれらの貼着歯１を貼着することで、口元の表情変化と同時に白い歯に仕上げることができる。
【００２８】
図１０から図１６までは、本発明の貼着歯を用いた口元表情の可変方法により、貼着前の口元の状態（ａ）と貼着後の口元の状態（ｂ）を示すものである。
次に、本発明の貼着歯を用いた口元表情の可変方法の実施例について説明する。
［貼着例（１）］
図１０は４０才前半男性の口元の表情を示す貼着例（１）であり、（ａ）は貼着前の状態、（ｂ）は貼着後の状態である。
この貼着例（１）では上顎の歯列全体に本発明の貼着歯１を貼り付けた。本発明の貼着歯１を貼り付けた。貼着後の状態図に示すように口元の表情が柔らいで見える。更に、図１０（ａ）の貼着前の上顎の第二小臼歯に見えていた金属の冠歯が見えなくなり、顔つきに清潔感が醸し出されるようになった。
【００２９】
［貼着例（２）］
図１１は２０才前半女性の口元の表情を示す貼着例（２）であり、（ａ）は貼着前の状態、（ｂ）は貼着後の状態である。
この貼着例（２）では上顎の歯列全体に本発明の貼着歯１を貼り付けた。図１１（ａ）の貼着前の状態図に見えていたテトラサイクリン着色が目立たなくなった。更に、口元の印象が明るくなった。
【００３０】
［貼着例（３）］
図１２は４０才後半男性の口元の表情を示す貼着例（３）であり、（ａ）は貼着前の状態、（ｂ）は貼着後の状態である。
この貼着例（３）では上顎の歯列全体に本発明の貼着歯１を貼り付けた。図１２（ａ）の貼着前の状態図では目だっていた第一、第二小臼歯に貼り付けた貼着歯１により、顔の右側の暗さがなくなった。顔の歪みがなくなり、かつ歯全体が白くなり若々しく見えるようになった。
【００３１】
［貼着例（４）］
図１３は４０才後半女性の口元の表情を示す貼着例（４）であり、（ａ）は貼着前の状態、（ｂ）は貼着後の状態である。
この貼着例（４）では上顎の歯列全体に本発明の貼着歯１を貼り付けた。図１３（ｂ）に示すように、口角の歪みがなくなり、口元に張りが出るようになった。
【００３２】
［貼着例（５）］
図１４は２０才前半女性の口元の表情を示す貼着例（５）であり、（ａ）は貼着前の状態、（ｂ）は貼着後の状態である。
この貼着例（５）では上顎の歯列全体に本発明の貼着歯１を貼り付けた。図１４（ａ）の状態図では目だっていた第一切歯、第二切歯、第一、第二小臼歯に貼り付けた貼着歯１により、口角が上がり、顔全体が引き締まって見えるようになった。
【００３３】
［貼着例（６）］
図１５は２０才前半女性の口元の表情を示す貼着例（６）であり、（ａ）は貼着前の状態、（ｂ）は貼着後の状態である。
この貼着例（６）では上顎の歯列全体に本発明の貼着歯１を貼り付けた。図１５（ｂ）に示すように、口元に華やかさが醸し出されるようになった。
【００３４】
［貼着例（７）］
図１６は２０才前半女性の口元の表情を示す貼着例（７）であり、（ａ）は貼着前の状態、（ｂ）は貼着後の状態である。
この貼着例（７）では上顎の歯列全体に本発明の貼着歯１を貼り付けた。図１６（ｂ）に示すように、八重歯を隠して、口元の暗さを消すことができた。
【００３５】
なお、本発明は上述した発明の実施の形態に限定されず、歯を切削することもなく、歯並びの悪い歯Ｔに人工の貼着歯１を付けることで、簡単かつ短時間で歯列を変形させ、口腔の周囲筋肉を貼着歯１で押圧することにより人の口元の表情を変化させることができる方法であれば、図示したような構成に限定されず、本発明の要旨を逸脱しない範囲で種々変更できることは勿論である。
【産業上の利用可能性】
【００３６】
本発明の貼着歯及びこれを用いた口元表情の可変方法は、歯を切削する必要がないので、一時的に貼着してから写真撮影用に取り外し自在な歯として利用する等の様々な用途に利用することができる。
【図面の簡単な説明】
【００３７】
【図１】本発明の貼着歯を用いた口元表情の可変方法を示すフロー図である。
【図２】上顎歯列の型どりを示すものであり、下方から見た状態図である。
【図３】上下顎歯列の型どりを上下合せた状態のものを前方から見た状態図である。
【図４】上顎歯列の型どりに貼着歯を嵌めた状態のものを下方から見た状態図である。
【図５】上下顎歯列の型どりに、上顎歯列に貼着歯を嵌めた状態を上下合せた状態を前方から見た状態図である。
【図６】本発明の貼着歯の一例を示す拡大断面図であり、（ａ）は前歯用の貼着歯、（ｂ）は臼歯用の貼着歯ある。
【図７】本発明の貼着歯の作成例を示すものであり、（ａ）は少し凹んだ状態の歯に貼着歯を貼着する状態の拡大断面図であり、（ｂ）は大きく凹んだ状態の歯に貼着歯を貼着する状態の拡大断面図である。
【図８】図８は型どりに部分的に本発明の貼着歯（１）を貼着した状態図である。
【図９】図９は図８で示した型どりに貼着した貼着歯を示す状態図である。
【図１０】４０才前半男性の口元の表情を示す貼着例（１）であり、（ａ）は貼着前の状態、（ｂ）は貼着後の状態である。
【図１１】２０才前半女性の口元の表情を示す貼着例（２）であり、（ａ）は貼着前の状態、（ｂ）は貼着後の状態である。
【図１２】４０才後半男性の口元の表情を示す貼着例（３）であり、（ａ）は貼着前の状態、（ｂ）は貼着後の状態である。
【図１３】４０才後半女性の口元の表情を示す貼着例（４）であり、（ａ）は貼着前の状態、（ｂ）は貼着後の状態である。
【図１４】２０才前半女性の口元の表情を示す貼着例（５）であり、（ａ）は貼着前の状態、（ｂ）は貼着後の状態である。
【図１５】２０才前半女性の口元の表情を示す貼着例（６）であり、（ａ）は貼着前の状態、（ｂ）は貼着後の状態である。
【図１６】２０才前半女性の口元の表情を示す貼着例（７）であり、（ａ）は貼着前の状態、（ｂ）は貼着後の状態である。
【図１７】口角外方の結節に収束する筋束の状態を示す説明図である。
【図１８】口角外方の結節に収束する筋束の方向を示す説明図である。
【符号の説明】
【００３８】
１  貼着歯
２  貼着歯本体
３  貼着歯表面部
４  貼着面
Ｔ  歯
Ｓ１  型どり
Ｓ２  不正歯列の測定
Ｓ３  顔面等高線測定
Ｓ４  貼着歯の形状・厚みの測定
Ｓ５  貼着歯の作成
Ｓ６  セメント貼着
【図１】
2006345884.tif 000003
【図６】
2006345884.tif 000004
【図７】
2006345884.tif 000005
【図１７】
2006345884.tif 000006
【図１８】
2006345884.tif 000007
【図２】
2006345884.tif 000008
【図３】
2006345884.tif 000009
【図４】
2006345884.tif 000010
【図５】
2006345884.tif 000011
【図８】
2006345884.tif 000012
【図９】
2006345884.tif 000013
【図１０】
2006345884.tif 000014
【図１１】
2006345884.tif 000015
【図１２】
2006345884.tif 000016
【図１３】
2006345884.tif 000017
【図１４】
2006345884.tif 000018
【図１５】
2006345884.tif 000019
【図１６】
2006345884.tif 000020